(57)【特許請求の範囲】
【請求項１】
デスクの先端側に立設されるボードにそって巻込み式スプリングにより昇降自在なディスプレイ載置台を備え、この載置台には前記巻込み式スプリング部側に縦方向に列設された係止穴に係脱して載置台を任意高さ位置に固定するためのストッパロッドを配設し、前記載置台の手元側に前記ストッパロッドを係止穴から外すための操作レバーを設けるとともに、該載置台の上面のディスプレイ下面で押される位置にストッパ解除部材を突設し、このストッパ解除部材が上昇位置にあるとき前記操作レバーの操作を不能とし、同下降位置にあるとき前記操作レバーを操作可能としたことを特徴とする昇降式ディスプレイ搭載装置。
【請求項２】
前記ストッパロッドの操作端は軸を中心に回動する操作レバーの一端に連結され、この操作レバーの他端に前記載置台の手元側の端面に出没自在に設けられた操作部材が連結される一方、前記ストッパ解除部材の側面に前記操作レバーの一部が嵌脱し得る係合溝を有するとともにバネ付勢により載置台上に突出する習性が付与されており、該ストッパ解除部材の下降時に前記係合溝に操作レバーの一部が整合して嵌入自在とされている請求項１記載の昇降式ディスプレイ搭載装置。
【請求項３】
前記ディスプレイ載置台内に、該台上に搭載されるディスプレイとこれに付帯するＯＡ機器とを接続する配線用ケーブルを配設するケーブル配設部を有している請求項１または２記載の昇降式ディスプレイ搭載装置。
【発明の詳細な説明】
【０００１】
【発明の属する技術分野】
本発明はディスプレイ搭載装置に係り、特に手動により軽い力で上下動させ、ディスプレイを最適高さ位置に設定することができるとともに不使用時には上方へ退避させておくことができる昇降式ディスプレイ搭載装置に関する。
【０００２】
【従来の技術】
近年、パソコンやワープロ等のＯＡ機器の発達に伴い、ＯＡ機器が事務処理に欠かせない存在となっており、そのため官庁・民間企業を問わず各デスク毎に１台のＯＡ機器が配置される時代となっている。
【０００３】
ところで日常業務のなかには、ＯＡ機器を使用する業務とＯＡ機器を使用しない業務とがあり、これらの業務を一つのデスク上で行う場合、ＯＡ機器、主としてディスプレイをデスク上に置く場合とデスク上から他所へ移動させることが必要となる。
【０００４】
しかして、ＯＡ機器を使用しない場合に重量の大きいディスプレイを他所へ移動させたり、また使用する場合にデスク上へ持ち来たすことは容易でなく、重労働が強いられることになる。
【０００５】
このようなことから、デスクにディスプレイ搭載台を昇降自在に設け、この載置台をバネの力で昇降させるようにし、ディスプレイの使用時には載置台を下げて最適位置に置かれるようにするとともに、不使用時には上昇させてデスク上面を広く使えるようにすることが考えられる。
【０００６】
【発明が解決しようとする課題】
しかるに上記のようにバネの力によりディスプレイを軽い力で上昇させるようにすると、その載置台にディスプレイを載置した状態で載置台のストッパを外した場合は支障はないが、ディスプレイを載置していない無負荷の状態でストッパを外した場合、載置台が急激に上昇し、きわめて危険を伴うことになる。
【０００７】
一方、上記のような昇降式ディスプレイ載置台を用いた場合、その上に載置されるディスプレイへの配線用ケーブルが上下方向に走り、このケーブル類が他の業務の邪魔になるばかりでなく、煩雑となってオフィス景観を損うものとなる。
【０００８】
【課題を解決するための手段】
本発明は、載置台にディスプレイが搭載されていない無負荷時には載置台の上昇を不可として安全性を確保し、ディスプレイ搭載時には載置台の上昇を妨げることがないようにした昇降式ディスプレイ搭載装置を提供すること、および載置台上のディスプレイとデスク上のＯＡ機器とを継ぐ配線用ケーブルが外部に表われないようにした昇降式ディスプレイ搭載装置を提供することを課題としてなされたものである。
【０００９】
上記課題を解決するための手段として本発明では、デスクの先端側に立設されるボードにそって巻込み式スプリングにより昇降自在なディスプレイ載置台を備え、この載置台には前記巻込み式スプリング部側に縦方向に列設された係止穴に係脱して載置台を任意高さ位置に固定するためのストッパロッドを配設し、前記載置台の手元側に前記ストッパロッドを係止穴から外すための操作レバーを設けるとともに、該載置台の上面のディスプレイ下面で押される位置にストッパ解除部材を突設し、このストッパ解除部材が上昇位置にあるとき前記操作レバーの操作を不能とし、同下降位置にあるとき前記操作レバーを操作可能としたことにある。
【００１０】
前記ストッパロッドの操作端を軸を中心に回動する操作レバーの一端に連結し、この操作レバーの他端に前記載置台の手元側の端面に出没自在に設けられた操作部材を連結する一方、前記ストッパ解除部材の側面に前記操作レバーの一部が嵌脱し得る係合溝を設けるとともにバネ付勢により載置台上に突出する習性を付与し、該ストッパ解除部材の下降時に前記係合溝に操作レバーの一部が整合して嵌入自在とすることが作動の確実性を得るうえで好ましい。
【００１１】
また前記ディスプレイ載置台内に、該台上に搭載されるディスプレイとデスク上のＯＡ機器とを接続する配線用コードを配設するケーブル配設部を設けることによってケーブル類が外部に露出せず、就務の邪魔にならないと同時にオフィスの景観をよくすることができる。
【００１２】
【発明の実施の形態】
以下、本発明を図面に示す実施の形態を参照して説明する。
【００１３】
図１は本発明の使用状態のイメージを示すもので、デスク１の先端に一体若しくは別体として立設されるボード２のデスク面側に本発明によるディスプレイ搭載装置３が設けられ、その載置台４上にＯＡ機器５に付帯するディスプレイ６が搭載される。
【００１４】
上記ディスプレイ搭載装置３は、前記ボード２にそって取付けられる巻込み式スプリング部７と、この巻込み式スプリング部７にそって水平姿勢のまま昇降自在に支持された載置台４とを備えており、図１では横方向へも移動可能とした場合を示している。
【００１５】
上記巻込みスプリング部７は、その一例を図２、図３に示すように、前記ボード２のデスク１側となる面にデスク１の天板面からそれぞれ適宜高さを有する位置にレール部材８，８をカバーするように溝９，９が設けられており、巻込み式スプリング部７の外枠１０の背面側に突設されたアームに軸着されているガイドローラ１１，１１がボード２の溝９，９内のレール部材８，８の垂直面に接触することにより前記外枠１０が常時垂直姿勢を保って横方向に移動可能に支持されている。
【００１６】
図示の例では、レール部材８，８がボード２の上下２箇所に設けられ、外枠１０の上下２箇所にガイドローラ１１，１１を設けるようにしているが、これは上部のみをレール部材８とし、下部は外枠１０の下部に車輪を軸支してボード２の表面に転接するようにしてもよい。
【００１７】
上記外枠１０は、図２にみられるように適宜間隔をおいて設けられる２本の垂直な支柱１２，１２と、この支柱１２，１２間を連結する横梁１３，１３とで角枠状に形成されている。
【００１８】
上記外枠１０の上側の横梁１３の中央下面にはバランスプーリー１４が、その両隣りにそれぞれメインプーリー１５，１５が同一軸線上に回転可能に支持されており、各プーリー１４，１５，１５にはそれぞれ帯状に垂下するゼンマイ式の巻込み式スプリング１６，１６…が常の巻込む方向に付勢されて取付けられている。
【００１９】
一方、載置台４は側面視において略Ｌ字形を有し、その垂直な左右のガイド部材１７，１７は横梁１８，１８で連結され、このガイド部材１７，１７は前記外枠１０の垂直な支柱１２，１２のガイドレール部１９，１９にそって上下動が案内されるようになっており、上部の横梁１８に前記巻込み式スプリング１６，１６…の下端がビス等により固定されている。そしてこのスプリング１６，１６…は、載置台４上に搭載されるティスプレイ６の重量にバランスして軽い力で上下動させることができるものである。
【００２０】
前記載置台４には、図４〜図１０に示すように前記巻込み式スプリング部７の外枠１０の一方の垂直な支柱１２に縦方向に所要のピッチをもって列設された係止穴２０，２０…に係脱するストッパロッド２１が前後方向に摺動可能に設けられ、このストッパロッド２１の手前端は、中間部がピン２２により載置台４に枢支されたＬ形状の操作レバー２３の長辺側端部にピン２４により連結され、この操作レバー２３の端辺側端部には図７に拡大して示すように平板状の端板２３ａが設けられていて、載置台４の手前端に水平な軸２５ａにより上下方向揺動可能に設けられた操作部材２５の内端の平板状の端板２５ｂに対向されていてバネ２６による付勢により常時当接されている。
【００２１】
前記載置台４の手前寄りの中央位置にはストッパ解除部材２７が設けられている。このストッパ解除部材２７はガイド２８にそって上下動自在に設けられ、常時は図５に示すようにバネ２９の作用によりその上端が載置台４の上面から突出した状態におかれており、このストッパ解除部材２７の側面には前記操作レバー２３の一部が嵌入し得る係合溝３０が形成されていて、ストッパ解除部材２１が突出しているときは操作レバー２３は図５のように係合溝３０外の外側面に当って前記ストッパロッド２１を前進させた状態、すなわちストッパロッド２１の先端２１ａが前記係止穴２０に嵌入した状態に保持され、ストッパ解除部材２７が図８のように押し込まれたときその係合溝３０に操作レバー２３の側縁が嵌入可能となり、操作部材２５を図１１のように上または下に揺動させることにより端板２５ｂが傾斜して端板２３ａを押すことによりストッパロッド２１が引かれ、その先端２１ａが係止穴２０から抜けるようになっている。
【００２２】
したがって載置台４上に何も載せず、無負荷のとき操作部材２５を上または下方へ押してストッパロッド２１の係止を解除しようとしても、操作レバー２３がストッパ解除部材２７の側面に当って回動することができず、ストッパロッド２１を係止穴２０から抜き外すことができないので、載置台４が急激に上昇することがない。
【００２３】
載置台４上にディスプレイ６を搭載すると、そのディスプレイ６によりストッパ解除部材２７が押し込まれ、この状態で操作部材２５を上または下方へ押すと操作レバー２３はストッパ解除部材２７の係合溝３０に進入するようバネ２６に抗して回動し、ストッパロッド２１を引いてその先端２１ａを係止穴３０から抜くことができ、これにより載置台４を巻込み式スプリング１６，１６…の巻込み力により軽く上昇させることができる。
【００２４】
図１２、図１３は、載置台４を上下動のみ可能とし、かつパーティション３１に巻込み式スプリング部７を取付けて使用するようにした場合の実施形態を示すもので、パーティション３１の上端に掛止する下向きコ字状の嵌合部３２ａを上端に有する上部支持部材３２と、デスク天板１ａの前方のコード類通し孔１ｂの孔縁にコ字形の取付け具３３を介して固定されるとともにパーティション３１にも固定し得るＬ形状の下部支持部材３４とに巻込み式スプリング部７の外枠１０をビス止めして取付けるようになされている。その取付けた状態が図１３である。
【００２５】
これによれば、デスク１にボード２を有しなくても、パーティション３１を利用してディスプレイ昇降装置３を取付けることができる。
【００２６】
図において３５は、キーボード等を収容しておくため、載置台４の下面側に設けられたホルダを示す。
【００２７】
図１４、図１５は、巻込み式スプリング部７および載置台４内での配線ケーブル３６の配設形態例を示すもので、巻込み式スプリング部７では、外枠１０の下端一側ａ（デスク側）から他側ｂ（パネル側）中央にかけて巻込み式スプリング１６，１６…の存在しない空間部に図１４のようにジグザグ状に、また載置台４においては、図１５に示すように一側中央付近ｃ（デスク側）から他側ｄ（パネル側）中央付近にかけて配線することができるよう要所にケーブルガイド３７，３７が内設され、これにそってケーブル３６，３６を配設することにより載置台４の頻繁な動きに対してもケーブル３６，３６を傷めることがなく、またケーブルが外部に露出しないので邪魔にならないとともに外観をよくすることができる。図１６は配線ケーブル３６の外部に現われる部分を示している。
【００２８】
図１７は、コネクタ部の接続構成を示すものである。市場に流通するパソコンは、本体にディスプレイやキーボード、マウス等を接続するとき機種ごとに端子形状が異なり、互換性が見られない場合が少なからず生じている。そこでディスプレイ載置台内のベースコネクタ３８と、パソコン側のベースコネクタ３９間にあらかじめ接続端子用の多数本のケーブルを通線しておき、それぞれ市場において流通する多機種パソコンのディスプレイ端子４０，４１、キーボード端子４２，４３およびマウス端子４４，４５のコネクタ形状に合せたそれぞれの変換ユニットＡ，Ｂ，Ｃ，Ａ′，Ｂ′，Ｃ′をそれぞれのベースコネクタに接続すれば、ただちにパソコン５０を駆動することができる。その具体的形態を図１８に示しており、図１７に対応する部材にはこれと同じ符号を付して対応させてある。
【００２９】
図１９（Ａ），（Ｂ）、図２０（Ａ），（Ｂ）は、ケーブル３６の引き廻しの形態例を示しており、載置台４の動きに対する順応性を示している。
【００３０】
【発明の効果】
以上説明したように本発明によれば、ＯＡ機器のディスプレイを搭載する載置台を巻込み式スプリングにより使用時には最適高さ位置に下げ、不使用時には軽い力で上方へ退避させてデスク面を有効に使用するようにしたディスプレイ搭載装置において、載置台上にディスプレイが搭載されていないとき不用意に載置台のストッパを解除しようとしても解除することができず、そのため載置台が急激に上昇する過激な動きを予防することができ、安全性を高めることができる。
【００３１】
また載置台上にディスプレイを搭載したのちは、特別なストッパ解除操作を行うことなくストッパの解除ができ、直ちに上昇させることができる。
【図面の簡単な説明】
【図１】本発明をデスクに装着した場合の一実施形態を示す斜視図。
【図２】本発明における巻込み式スプリング部の内部を示す正面図。
【図３】同、ボードとの関係の一例を示す断面図。
【図４】本発明における載置台のストッパロッドが巻込み式スプリング部の係止穴に係合している状態を示す略示断面図。
【図５】無負荷時におけるストッパ解除部材の状態を示す部分断面図。
【図６】図４、図５の状態時における載置台の下面図。
【図７】図５の部分拡大図。
【図８】図４におけるストッパロッドが係止穴から抜けた状態を示す略示断面図。
【図９】載置台上にディスプレイを載置した際におけるストッパ解除部材の状態を示す部分断面図。
【図１０】図８、図９の状態時における載置台の下面図。
【図１１】図９の部分拡大図。
【図１２】パーティションに本発明の昇降式ディスプレイ搭載装置を取付ける場合の一例を示す分解側面図。
【図１３】同、取付け後の状態を示す側面図。
【図１４】巻込み式スプリング部内へのケーブル配設例を示す内部の正面図。
【図１５】載置台内のケーブル配設例を示す内部の平面図。
【図１６】ケーブルの外部への現われ方を示す斜視図。
【図１７】オプションパネル方式としたパネルの説明図。
【図１８】図１７の具体例を示す斜視図。
【図１９】（Ａ）、（Ｂ）はケーブルの引き廻しを示す斜視図。
【図２０】（Ａ）、（Ｂ）は同、他の例を示す斜視図。
【符号の説明】
１  デスク
２  ボード
３  ディスプレイ搭載装置
４  載置台
５  ＯＡ機器
６  ディスプレイ
７  巻込み式スプリング部
１０  外枠
１６  巻込み式スプリング
２０  係止穴
２１  ストッパロッド
２３  操作レバー
２５  操作部材
２７  ストッパ解除部材
３０  係合溝
３１  ボードに代るパーティション
３８，３９  ベースコネクタ
Ａ，Ａ′〜Ｃ，Ｃ′  変換ユニット
【図１】
0003645035.tif 000002
【図２】
0003645035.tif 000003
【図３】
0003645035.tif 000004
【図４】
0003645035.tif 000005
【図５】
0003645035.tif 000006
【図６】
0003645035.tif 000007
【図７】
0003645035.tif 000008
【図８】
0003645035.tif 000009
【図９】
0003645035.tif 000010
【図１０】
0003645035.tif 000011
【図１１】
0003645035.tif 000012
【図１２】
0003645035.tif 000013
【図１３】
0003645035.tif 000014
【図１４】
0003645035.tif 000015
【図１５】
0003645035.tif 000016
【図１６】
0003645035.tif 000017
【図１７】
0003645035.tif 000018
【図１８】
0003645035.tif 000019
【図１９】
0003645035.tif 000020
【図２０】
0003645035.tif 000021